(57)【要約】      （修正有）【課題】表示部に表示される端末装置の情報に基づき、適切に画像データを端末装置に送信することが可能な画像処理装置等を提供する。【解決手段】画像データを記憶する記憶部１５０と、端末装置３０と接続可能なアクセスポイント部１３０と、表示部１１０と、制御部１００とを備えた処理装置１０において、前記制御部１００は、接続されている端末装置３０が１台の場合は当該端末装置の情報を、接続されている前記端末装置３０が複数台の場合は最も近い端末装置の情報を前記表示部１１０に表示し、前記表示した情報に対応する端末装置に、前記アクセスポイント部１３０を介して前記画像データを送信する。【選択図】図２
2020108026.tif 000002
【特許請求の範囲】
【請求項１】
画像データを記憶する記憶部と、端末装置と接続可能な通信部と、表示部と、制御部とを備えた画像処理装置において、
前記制御部は、
接続されている端末装置が１台の場合は当該端末装置の情報を、接続されている前記端末装置が複数台の場合は最も近い端末装置の情報を前記表示部に表示し、
前記表示した情報に対応する端末装置に、前記通信部を介して前記画像データを送信する、
ことを特徴とする画像処理装置。
【請求項２】
前記制御部は、
前記端末装置からの受信信号の強度が最も強い端末装置を最も近い端末装置とすることを特徴とする請求項１に記載の画像処理装置。
【請求項３】
前記制御部は、
前記受信信号の強度に基づいた情報を前記表示部に表示することを特徴とする請求項２に記載の画像処理装置。
【請求項４】
前記制御部は、
接続されている端末装置が複数台のとき、端末装置の情報として同一の情報を有する端末装置が接続されている場合には、前記複数台の端末装置との通信を切断することを特徴とする請求項１から３の何れか一項に記載の画像処理装置。
【請求項５】
前記制御部は、
前記端末装置との通信を切断した場合には、その旨を前記表示部に表示することを特徴とする請求項４に記載の画像処理装置。
【請求項６】
前記制御部は、
接続されている端末装置が複数台のとき、端末装置の情報として同一の情報を有する端末装置が接続されている場合には、前記通信部を介して画像データを送信する処理を中断することを特徴とする請求項１から３の何れか一項に記載の画像処理装置。
【請求項７】
前記端末装置の情報は、前記端末装置を一意に識別するための端末識別子であることを特徴とする請求項１から６の何れか一項に記載の画像処理装置。
【請求項８】
前記端末識別子は、少なくとも前記端末装置の端末名、前記端末装置のシリアル番号、前記端末装置のアドレス、ユーザ名、電子メールアドレス、電話番号の何れかであることを特徴とする請求項７に記載の画像処理装置。
【請求項９】
端末装置と接続可能な通信部と、表示部と、制御部とを備えた画像処理装置における画像データ送信方法であって、
接続されている端末装置が１台の場合は当該端末装置の情報を、接続されている前記端末装置が複数台の場合は最も近い端末装置の情報を前記表示部に表示し、
前記表示した情報に対応する端末装置に、前記通信部を介して画像データを送信する、
ことを特徴とする画像データ送信方法。
【発明の詳細な説明】
【技術分野】
【０００１】
本発明は、画像処理装置等に関する。
【背景技術】
【０００２】
従来より、ネットワークに接続されたスキャナによって読み取られた原稿の画像データを、同一のネットワークに接続された情報処理装置に送信する技術が提案されている。例えば、スキャナが、スキャナが接続されたネットワークにブロードキャストを送信して、情報処理装置の応答に基づいて、画像データの送信先を決定する技術が提案されている（例えば、特許文献１及び特許文献２参照）。
【先行技術文献】
【特許文献】
【０００３】
【特許文献１】特開平１１−１２７２９８
【特許文献２】特開２００２−２３２６３７
【発明の概要】
【発明が解決しようとする課題】
【０００４】
しかし、特許文献１及び特許文献２に記載されている技術は、主にオフィス内におけるＬＡＮ（Local Area Network）に適用可能な技術である。画像処理装置がコンビニエンスストアに設置されている場合など、不特定の利用者に使用される環境では、特許文献１及び特許文献２に記載されている技術を適用することは、セキュリティの観点や、利用者によるＬＡＮへの接続の手間等を考慮すると難しい。
【０００５】
また、コンビニエンスストアに設置された画像処理装置のように不特定の利用者が利用する装置は、装置自体が無線通信のアクセスポイントとしての機能を備え、当該装置と、利用者が使用する端末装置とで通信を行うことが行われている。この場合、適切に装置間での通信を可能とし、通信のセキュリティを確保するために、通信対象となる装置との間で共有するパスワードやＰＩＮ（Personal Identification Number）コードを用いて接続を行う必要がある。例えば、画像処理装置から端末装置に対してデータを送信する場合は、端末装置にＰＩＮコードを表示させ、表示されたＰＩＮコードを画像処理装置に入力する操作が発生する。画像処理装置の利用者は、端末装置と画像処理装置との間での行き来をしたり、視点を移動させたり、画像処理装置にＰＩＮコードを入力したりする必要があり、手間がかかるという課題が有る。
【０００６】
上述した課題に鑑み、本発明は、表示部に表示される端末装置の情報に基づき、適切に画像データを端末装置に送信することが可能な画像処理装置等を提供することを目的とする。
【課題を解決するための手段】
【０００７】
上述した課題を解決するために、本発明の画像処理装置は、
画像データを記憶する記憶部と、端末装置と接続可能な通信部と、表示部と、制御部とを備えた画像処理装置において、
前記制御部は、
接続されている端末装置が１台の場合は当該端末装置の情報を、接続されている前記端末装置が複数台の場合は最も近い端末装置の情報を前記表示部に表示し、
前記表示した情報に対応する端末装置に、前記通信部を介して前記画像データを送信する、
ことを特徴とする。
【０００８】
本発明の画像データ送信方法は、
端末装置と接続可能な通信部と、表示部と、制御部とを備えた画像処理装置における画像データ送信方法であって、
接続されている端末装置が１台の場合は当該端末装置の情報を、接続されている前記端末装置が複数台の場合は最も近い端末装置の情報を前記表示部に表示し、
前記表示した情報に対応する端末装置に、前記通信部を介して画像データを送信する、
ことを特徴とする。
【発明の効果】
【０００９】
本発明によれば、表示部に表示される端末装置の情報に基づき、適切に画像データを端末装置に送信することが可能となる。
【図面の簡単な説明】
【００１０】
【図１】第１実施形態における画像データ送信システムの全体構成を説明するための図である。
【図２】第１実施形態における画像処理装置、画像形成装置、端末装置の機能構成を説明するための図である。
【図３】第１実施形態における受信信号強度リストのデータ構造を説明するための図である。
【図４】第１実施形態における処理の流れを説明するための図である。
【図５】第１実施形態における処理の流れを説明するための図である。
【図６】第１実施形態における端末名表示処理の流れを説明するためのフロー図である。
【図７】第１実施形態における動作例を説明するための図である。
【図８】第１実施形態における動作例を説明するための図である。
【図９】第１実施形態における動作例を説明するための図である。
【図１０】第１実施形態における動作例を説明するための図である。
【図１１】第１実施形態における動作例を説明するための図である。
【図１２】第２実施形態における端末名表示処理の流れを説明するためのフロー図である。
【図１３】第２実施形態における動作例を説明するための図である。
【図１４】第３実施形態における動作例を説明するための図である。
【発明を実施するための形態】
【００１１】
以下、本発明の実施の形態について、図面を参照して説明する。なお、本実施形態では、一例として、本発明の画像処理装置を含むシステムについて説明する。
【００１２】
［１．第１実施形態］
［１．１  全体構成］
［１．１．１  システムの構成］
本実施形態のシステム１の全体構成について、図１に基づいて説明する。図１に示すように、システム１は、処理装置１０と、画像形成装置２０と、端末装置３０とにより構成される。なお、図１は、処理装置１０に１台の端末装置３０が接続されている様子を示しているが、処理装置１０には複数の端末装置３０が接続されてもよい。また、処理装置１０と、画像形成装置２０とは、処理装置１０と、画像形成装置２０とを含んだ装置（例えば、画像処理装置２５）として構成されてもよい。
【００１３】
処理装置１０は、画像形成装置２０と接続する装置である。画像形成装置２０は、外部から入力される画像データを記録用紙等に画像を形成したりすることで、画像を出力する装置であり、いわゆる複合機と呼ばれる装置である。処理装置１０と画像形成装置２０との接続は、本実施形態においては有線によって接続し、互いに通信可能とする。処理装置１０と画像形成装置２０とは、例えば、ＵＳＢ（Universal Serial Bus）規格に基づいた接続方法により接続される。なお、処理装置１０と画像形成装置２０とは、ＩＥＥＥ  １３９４、ＲＳ−２３２等の公知の規格に基づいた接続方法によって接続されてもよいし、ＬＡＮ（Local Area Network）により接続されてもよい。また、処理装置１０と画像形成装置２０とは無線接続されてもよい。
【００１４】
また、処理装置１０は、利用者に提供したサービスに対する課金を行ってもよい。この場合、処理装置１０は、現金により料金を徴収するためのコイン投入口、紙幣挿入口、返却ボタン、コイン返却口、紙幣返却口を備えた料金収受装置が接続されてもよい。
【００１５】
端末装置３０は、可搬型の情報処理端末装置であり、スマートフォンや、タブレットといった装置である。端末装置３０は、無線ＬＡＮによって、他の装置と無線による接続が可能である。本実施形態では、処理装置１０は無線ＬＡＮのアクセスポイント（親機）としても機能し、無線ＬＡＮ端末（子機）である端末装置３０の接続先にもなる。
【００１６】
［１．１．２  画像送受信サービスの概要］
本実施形態は、画像処理装置２５は、画像送受信サービスを提供する。画像送受信サービスとは、画像処理装置２５と、端末装置３０との間において、画像データを送受信するサービスである。本実施形態では、画像処理装置２５から、端末装置３０へ画像データを送信するサービスを中心に説明する。
端末装置３０は、画像送受信サービスを利用するためのアプリ（画像データ受信アプリ）を実行することで、処理装置１０から画像データを受信することができる。
【００１７】
また、本実施形態では、画像処理装置２５（処理装置１０）がプログラムを実行することにより提供するサービスである。画像送受信サービスは、画像処理装置２５（処理装置１０）を介して、例えば他のサービスを提供するサーバ装置で実行されてもよい。
【００１８】
画像送受信サービスは、以下の状態を遷移する。
（１）スキャン
（２）端末装置３０の接続・確認
（３）課金処理
（４）画像データの送信
以下、遷移する状態について簡単に説明する。
【００１９】
（１）スキャン
画像送受信サービスは、原稿を読み取る状態にする。この状態のとき、画像送受信サービスの利用者は、画像処理装置２５（画像形成装置２０）により原稿を読み取らせる。
【００２０】
（２）端末装置３０の接続・確認
次に、画像送受信サービスは、画像処理装置２５に端末装置３０を接続する。利用者は、端末装置３０を操作して、画像データ受信アプリを起動する。画像データ受信アプリによって、端末装置３０の表示部には、端末名といった端末装置の情報が表示される。また、画像処理装置２５の表示部にも、端末名が表示される。画像送受信サービスの利用者は、画像処理装置２５に表示された端末名と、端末装置３０に表示された端末名とが同一である場合に、自分の端末装置３０が画像処理装置２５に接続されたことを確認できる。
【００２１】
利用者から確認操作がされると、画像処理装置２５は、送信する画像データに関する情報を表示部に表示してもよい。例えば、画像処理装置２５が送信する画像データのファイル名、ファイル容量を画像処理装置２５は表示部に表示する。これにより、利用者は、受信する画像データに関する情報を確認することができる。
【００２２】
（３）課金処理
画像送受信サービスの利用者によって、画像データに関する情報が正しいことが確認されたら、画像送受信サービスは、決済を行う状態にする。このとき、処理装置１０には、課金額が表示される。画像送受信サービスの利用者は、表示された課金額を満たす現金を投入する。なお、現金以外にも、例えば電子マネーを利用したり、払込票を印刷して処理完了後、利用者がレジで決済したりしてもよい。課金処理は、決済を始める画面を表示してから、決済が完了するまでの処理をいう。
【００２３】
（４）画像データの送信
画像送受信サービスの利用者によって、課金額を満たす現金が投入されたら、画像送受信サービスは、決済の処理を行い、画像データの送受信を行う状態にする。このとき、処理装置１０の表示部や、端末装置３０の表示部には、画像データが送受信されている最中であることが表示される。画像送受信サービスの利用者は、画像データの送受信が完了するまで待機する。画像データの送受信が完了したら、画像送受信サービスは、画像送受信サービスを終了する状態にする。
【００２４】
［１．２  機能構成］
図２を参照して、本実施形態の画像処理装置２５を構成する処理装置１０及び画像形成装置２０と、端末装置３０との機能構成について説明する。以下、画像処理装置２５のうち、処理装置１０がサービスを提供する場合について説明する。
【００２５】
［１．２．１  画像処理装置］
処理装置１０は、制御部１００と、表示部１１０と、操作入力部１２０と、アクセスポイント部１３０と、通信部１４０と、記憶部１５０とを備えて構成されている。
【００２６】
制御部１００は、処理装置１０の全体を制御するための機能部である。制御部１００は、各種プログラムを読み出して実行することにより各種機能を実現しており、例えば、１又は複数の演算装置（ＣＰＵ（Central Processing Unit））等により構成されている。
【００２７】
表示部１１０は、利用者に各種情報を表示するための機能部であり、例えばＬＣＤ（Liquid crystal display）等により構成されている。また、操作入力部１２０は、利用者による操作指示を受け付けるための機能部であり、接触による入力を検出する装置等により構成されている。表示部１１０と、操作入力部１２０とは、一体に形成されているタッチパネルによって構成されてもよい。タッチパネルの入力を検出する方式は、例えば、抵抗膜方式、赤外線方式、電磁誘導方式、静電容量方式といった、一般的な検出方式であればよい。また、表示部１１０及び操作入力部１２０は、画像形成装置２０に設けられてもよい。
【００２８】
アクセスポイント部１３０は、処理装置１０がアクセスポイントとしての機能を実現する機能部であり、例えば、ＩＥＥＥ  ８０２．１１ａ／ｂ／ｇ／ｎといった無線ＬＡＮのネットワークを提供するアクセスポイントとして機能する。アクセスポイント部１３０が提供する無線ＬＡＮのネットワークは、ＳＳＩＤ（Service Set Identifier）によって識別される。端末装置３０は、ネットワークの接続先として、アクセスポイント部１３０が提供する無線ＬＡＮのＳＳＩＤを指定することで、処理装置１０と接続することができる。
【００２９】
通信部１４０は、処理装置１０が外部の装置と、有線又は無線の通信を行うための機能部である。通信部１４０は、例えば、ＵＳＢ端子等の入出力端子を備えて構成される。また、外部の装置とは無線通信によって接続してもよく、無線ＬＡＮで利用されるＮＩＣ（Network Interface Card）や、ＬＴＥ（Long Term Evolution）／ＬＴＥ−Ａ（LTE-Advanced）／ＬＡＡ（License-Assisted Access use LTE）／５Ｇ回線に接続可能な通信モジュールにより構成されてもよい。
【００３０】
記憶部１５０は、処理装置１０の動作に必要な各種プログラムや、各種データを記憶する機能部である。記憶部１５０は、半導体メモリであるＳＳＤ（Solid State Drive）や、ＨＤＤ（Hard Disk Drive）等により構成されてもよいし、処理装置１０に対して取り外し可能で、小型の記録媒体で構成されてもよい。
【００３１】
記憶部１５０には、画像データを記憶する領域である画像データ記憶領域１５２が確保されており、端末装置３０の受信信号の強度に関するリストである受信信号強度リスト１５４が記憶される。
【００３２】
図３は、本実施形態における受信信号強度リスト１５４のデータ構成の一例を示した図である。図３に示すように、受信信号強度リスト１５４は、端末装置３０の情報である端末名（例えば、「山田太郎のスマホ」）と、端末装置３０との無線通信におけるセッションを識別するためのセッションＩＤ（例えば、「１２３４５６７８９０」）と、端末装置３０が処理装置１０から受信した信号（受信信号）の強さを表す値である受信信号強度（例えば、「−４４ｄＢｍ」）とを、端末装置３０毎に記憶する。
【００３３】
ここで、端末装置３０の情報は、端末装置３０に関する情報である。端末装置３０の情報には、例えば、以下の情報が含まれる。
・端末装置３０の固有の情報（例えば、端末装置３０のシリアル番号、ＭＡＣアドレス、端末名等）
・端末装置３０に関連する固有の情報（例えば、端末装置３０に装着されているＳＩＭ（Subscriber Identity Module）カードに対応付けられたＩＭＥＩ（International Mobile Equipment Identifier）や電話番号）
・端末装置３０を利用するユーザの情報（例えば、ユーザ名、アカウント名、電子メールアドレス等）
・端末装置３０の動作に基づく情報（例えば、バッテリー残量、端末装置３０で動作するＯＳ（Operation System）の名称等）
【００３４】
この端末装置３０の情報のうち、端末装置３０を一意に識別することが可能な情報を端末識別子という。端末識別子は、端末装置３０の利用者によって設定される情報であってもよいし、端末装置３０に予め記憶されている情報であってもよい。端末装置３０の利用者によって設定される端末識別子としては、例えば、端末装置３０の名称である端末名、ユーザ名、電子メールアドレス、電話番号、ＩＰアドレス等のアドレスである。また、端末装置３０に予め記憶されている端末識別子としては、端末装置３０シリアル番号や、ＩＭＥＩ（International Mobile Equipment Identifier）や、ＭＡＣアドレスといった、端末装置を一意に識別できる情報がある。
【００３５】
また、セッションとは、処理装置１０と端末装置３０との間における、画像送受信のサービス毎に行われる通信の単位をいう。本実施形態におけるセッションとは、処理装置１０が、画像データ記憶領域１５２に記憶された１又は複数の画像データを、１台の端末装置３０に送信するという通信の単位をいう。すなわち、処理装置１０は、利用者によって画像送受信のサービスが利用されるたびに、１台の端末装置３０に対するセッションを生成し、当該セッションを生成した１台の端末装置３０に対して、１又は複数の画像データを送信する。なお、処理装置１０は、セッションをセッションＩＤにより識別する。
【００３６】
また、セッションＩＤとは、セッションを一意に識別するための情報である。セッションＩＤは、端末装置３０に記憶される画像データ受信アプリ３５４により生成される。セッションＩＤは、セッションを識別できればよく、例えば、ランダムに抽出された１０桁の数字から構成される。セッションＩＤは、アルファベットや、ハイフン等の記号を含めて構成されてもよく、また、桁数（文字数）も１０桁でなくても構わない。
【００３７】
なお、本実施形態では、処理装置１０が、セッションを生成し、画像データを送信する対象となる端末装置３０に対して画像データを送信できる状態になることを、セッションが確立する、という。
【００３８】
［１．２．２  画像形成装置］
画像形成装置２０は、制御部２００と、通信部２１０と、原稿読取部２２０と、画像処理部２３０と、画像形成部２４０と、記憶部２５０とを備えて構成されている。なお、更に表示部が備えられてもよい。
【００３９】
制御部２００は、画像形成装置２０の全体を制御するための機能部である。制御部２００は、各種プログラムを読み出して実行することにより各種機能を実現しており、例えば、１又は複数の演算装置（ＣＰＵ）等により構成されている。
【００４０】
通信部２１０は、画像形成装置２０が外部の装置と、有線又は無線の通信を行うための機能部である。通信部２１０は、例えば、ＵＳＢ端子等の入出力端子を備えて構成される。また、本実施形態では、画像形成装置２０は、通信部２１０を介して処理装置１０と接続可能となっている。
【００４１】
原稿読取部２２０は、画像形成装置２０に載置された原稿を画像データとして読み取るための機能部である。例えば、原稿読取部２２０は、スキャナによって構成される。
【００４２】
画像処理部２３０は、画像データに各種画像処理を施して、画像形成部２４０が画像を形成するために用いる印刷データを生成する機能部である。画像処理として、例えば、画像データの鮮鋭化処理や、色変換処理を行う。また、画像処理部２３０は、生成した印刷データを記憶部２５０に記憶する。
【００４３】
画像形成部２４０は、印刷データを記録媒体（例えば記録用紙）に形成するための機能部である。例えば、画像形成部２４０は、電子写真方式を利用したレーザプリンタ等により構成される。
【００４４】
記憶部２５０は、画像形成装置２０の動作に必要な各種プログラムや、画像処理部２３０が生成した印刷データ等の各種データを記憶する機能部である。記憶部２５０は、例えば、半導体メモリであるＳＳＤや、ＨＤＤ等により構成される。
【００４５】
［１．２．３  端末装置］
端末装置３０は、制御部３００と、無線通信部３１０と、表示部３２０と、操作入力部３３０と、受信信号強度測定部３４０と、記憶部３５０とを備えて構成されている。
【００４６】
制御部３００は、端末装置３０の全体を制御するための機能部である。制御部３００は、各種プログラムを読み出して実行することにより各種機能を実現しており、例えば、１又は複数の演算装置（ＣＰＵ）等により構成されている。
【００４７】
無線通信部３１０は、アクセスポイント部１３０に接続する機能部である。例えば、ＩＥＥＥ  ８０２．１１ａ／ｂ／ｇ／ｎといった何れかの無線ＬＡＮの通信方式を用いて通信が可能なＮＩＣによって構成される。
【００４８】
表示部３２０は、利用者に各種情報を表示するための機能部であり、例えばＬＣＤ（Liquid crystal display）等により構成されている。また、操作入力部３３０は、利用者による操作指示を受け付けるための機能部であり、接触による入力を検出する装置等により構成されている。表示部３２０と、操作入力部３３０とは、一体に形成されているタッチパネルによって構成されてもよく、タッチパネルの入力を検出する方式は、例えば、静電容量方式が用いられる。
【００４９】
受信信号強度測定部３４０は、無線通信部３１０によって実現される無線通信において、アクセスポイントである処理装置１０から受信した受信信号の強度を測定するための機能部である。測定した受信信号の強度は、例えば、ＲＳＳＩ（Received Signal Strength Indication）の値に基づき、ｄＢｍの値によって表す。
【００５０】
受信信号強度測定部３４０は、アクセスポイント部１３０から送信されるビーコン等のフレームやパケットを受信するときに、受信したフレームやパケットの受信信号の強度を測定する。また、受信信号強度測定部３４０は、アプリケーションから、受信信号の強度の値を取得するためのＡＰＩ（Application Programming Interface）が呼び出された場合には、当該ＡＰＩを呼び出したアプリケーションに受信信号の強度の値を返す。このようにして、制御部３００によって実行されるアプリケーションは、受信信号強度測定部３４０が測定した受信信号の強度の値を取得することができる。
【００５１】
記憶部３５０は、端末装置３０の動作に必要な各種プログラムや、各種データを記憶する機能部である。記憶部３５０は、例えば、半導体メモリであるＳＳＤや、フラッシュメモリ等により構成される。
【００５２】
記憶部３５０は、画像データを記憶する領域である画像データ記憶領域３５２を確保し、処理装置１０から画像データを受信するためのアプリケーションである画像データ受信アプリ３５４と、端末装置に関する情報である端末装置情報３５６とを記憶する。
【００５３】
画像データ受信アプリ３５４は、制御部３００によって読み出され実行されることにより、処理装置１０から画像データを受信するための機能を実現する。画像データ受信アプリ３５４によって実現する機能としては、具体的には以下の機能である。
【００５４】
（１）セッションＩＤの生成機能
セッションＩＤを生成する機能である。制御部３００は、例えば、乱数を用いてセッションＩＤを生成する。なお、制御部３００は、時刻や端末識別子の情報に対して所定の演算を実行することで、セッションＩＤを生成してもよい。
【００５５】
（２）端末名・セッションＩＤ・受信信号の強度の値の送信機能
生成したセッションＩＤと、端末装置情報３５６に記憶された端末名と、受信信号の強度の値とを、処理装置１０に送信する機能である。なお、端末名は、処理装置１０に表示される情報である。したがって、すでに説明したように、処理装置１０には端末装置３０の情報が送信されればよい。制御部３００は、端末名の代わりに、端末名以外の端末識別子を送信してもよいし、端末識別子以外の端末装置３０の情報を送信してもよい。また、受信信号の強度の値は、制御部３００が、受信信号の強度を取得するためのＡＰＩを呼び出すことで取得すればよい。なお、受信信号の強度の値は、端末名とセッションＩＤとを処理装置１０に送信する度に送信してもよいし、所定の間隔を開けて（例えば、３回に１度）送信してもよい。
【００５６】
端末装置３０の受信信号の強度の値は、処理装置１０が取得できれば、上述した方法以外で実現してもよい。例えば、制御部３００は、端末名とセッションＩＤとを含む信号を送信するタイミングとは異なるタイミングで、受信信号の強度の値を処理装置１０に送信してもよい。また、処理装置１０が、端末装置３０の受信信号の強度の値を測定したり、取得したりしてもよい。処理装置１０が受信信号の強度を取得する方法としては、例えば、処理装置１０が端末装置３０から受信する受信信号から、端末装置３０の受信信号の強度の値を推定する方法が考えられる。なお、処理装置１０が、端末装置３０の受信信号の強度の値を取得する場合は、端末装置３０は、処理装置１０に対して、受信信号の強度の値を送信しなくてもよい。
【００５７】
（３）画像送受信サービスの状態の受信と画面の表示機能
制御部３００は、処理装置１０に対して画像送受信サービスの状態の取得の要求を送信することで、処理装置１０から送信される画像送受信サービスの状態を受信し、画像送受信サービスの状態に応じた表示画面を表示部３２０に表示する機能である。画面の表示機能としては、例えば、画像送受信サービスの状態が、画像データを送信する端末装置が決定した状態である場合は、制御部３００は、表示部３２０に、処理装置１０で操作を促すための画面を表示する。なお、制御部３００は、処理装置１０から受信した装置状態に基づいて、利用者が端末装置３０を操作しなくても、自動的に表示画面を切り替えてもよいし、利用者の操作によって表示画面を切り替えてもよい。
【００５８】
なお、本実施形態では、（２）の機能によって、制御部３００が処理装置１０に対してセッションＩＤと端末名とを送信したら、処理装置１０から応答として、画像送受信サービスの状態が送信されることとして説明する。すなわち、制御部３００が、処理装置１０に対してセッションＩＤと端末名とを送信することが、画像送受信サービスの状態の取得の要求となっていることとして説明する。したがって、（３）の機能の一部である画像送受信サービスの状態の受信の機能は、（２）の機能において、処理装置１０から送信される応答を受信することによって実現される。なお、制御部３００は、（２）の機能と（３）の機能とは、それぞれ別に実現してもよい。この場合において、端末装置３０が処理装置１０から画像送受信サービスの状態を受信するときは、制御部３００は、処理装置１０に対して、端末装置３０のＩＰアドレス等、画像送受信サービスの状態の送信先を特定できる情報を送信すればよい。
【００５９】
（４）画像データの記憶機能
処理装置１０から送信される画像データを画像データ記憶領域３５２に記憶する機能である。また、画像データを記憶するときに、画像データに所定の処理をしてもよい。例えば、画像データの属性として、画像データを受信した日時や、処理装置１０や画像形成装置２０の設置場所（例えば、利用者がサービスの提供を受けた処理装置１０を設置した店名）を付加してから、画像データを記憶してもよい。また、画像データを圧縮ファイルのとして処理装置１０から受信した場合は、当該圧縮ファイルを展開する処理を行ってもよい。
【００６０】
端末装置情報３５６は、端末装置３０に関する情報として、端末名や端末装置３０のシリアル番号といった端末識別子や、アカウント名、電話番号、電子メールアドレスといった情報を記憶する。既に説明したように、端末装置情報３５６が記憶する一部の情報は、端末装置３０の利用者によって設定可能であってもよい。
【００６１】
なお、端末名やアカウント名は、画像データ受信アプリ３５４に記憶してもよい。このようにすることで、利用者に対して、端末装置３０に設定された端末名とは異なる名称を、画像送受信サービスを利用するときの端末名として使用させることができる。
【００６２】
［１．３  処理の流れ］
図４から図６を参照して、本実施形態における処理の流れを説明する。図４及び図５は、処理装置１０及び端末装置３０における処理の流れを説明するためのシーケンス図である。また、図６は、処理装置１０が実行する端末名表示処理のフロー図である。また、図４及び図５においては、端末装置３０が２台存在することとして、それぞれ端末装置３０ａ、端末装置３０ｂとして説明する。さらに、端末装置３０は、利用者によって、予め無線通信部３１０の接続先としてアクセスポイント部１３０のＳＳＩＤが指定されていることとして説明する。
【００６３】
はじめに、図４を参照して、端末装置３０が、処理装置１０へ接続し、セッションを確立するまでの処理の流れについて説明する。はじめに、制御部１００は、原稿読取部２２０によって読み取られた原稿の画像データを、通信部２１０及び通信部１４０を介して受信する。そして、制御部１００は、受信した画像データを、画像データ記憶領域１５２に記憶する（Ｓ１０２）。つづいて、制御部１００は、表示部１１０に、画像データ受信アプリ３５４の起動を促すための画面（起動案内画面）を表示する（Ｓ１０４）。起動案内画面には、画像データ受信アプリ３５４のアイコンや、画像データ受信アプリ３５４が起動した後に利用者が行う操作の説明が含まれてもよい。
【００６４】
つづいて、端末装置３０ａは、利用者の操作に基づき画像データ受信アプリ３５４を起動する（Ｓ１０６）。これにより、制御部３００は、画像データ受信アプリ３５４によって実現される機能を実行することができる。制御部３００は、画像データ受信アプリ３５４の機能により、処理装置１０との接続に用いるためのセッションＩＤを生成する（Ｓ１０８）。また、制御部３００は、端末装置３０ａの端末識別子である端末名を表示部３２０に表示する（Ｓ１１０）。
【００６５】
つづいて、制御部３００は、処理装置１０に接続し、端末名とセッションＩＤとを含む信号を処理装置１０へ送信する（Ｓ１１２）。制御部１００は、端末名とセッションＩＤとを受信したら、送信元の端末装置３０ａに対して、処理装置１０及び画像形成装置２０の状態を示す装置状態の情報を送信する（Ｓ１１４）。
【００６６】
装置状態とは、処理装置１０において、画像送受信サービスがどの状態にあるかを示す情報である。本実施形態において、制御部１００は、装置状態として以下の状態を端末装置３０に送信する。
【００６７】
（１）Ｗａｉｔｉｎｇ
画像送受信サービスにおいて、端末装置３０を待ち受ける状態であることを示す。処理装置１０と端末装置３０とは接続されているが、処理装置１０は、いずれの端末装置３０に対しても、セッションを確立していない状態を示す。この状態においては、端末装置３０は処理装置１０から画像データを受信できない。そこで、制御部１００は、セッションが確立するまでは、端末装置３０に対して、装置状態として「Ｗａｉｔｉｎｇ」を送信する。なお、制御部１００は、ある端末装置３０がセッションを確立している場合に、セッションが確立していない他の端末装置３０に対して「Ｗａｉｔｉｎｇ」を送信してもよい。このようにすることで、制御部１００は、装置状態として「Ｗａｉｔｉｎｇ」を受信した端末装置３０の利用者に対して、画像データが送信できる状態でないことを示すことができる。
【００６８】
（２）Ｒｅａｄｙ
画像送受信サービスにおいて、画像データの送信先となる端末装置が決定した状態であることを示す。処理装置１０と端末装置３０との間におけるセッションが確立され、端末装置３０が処理装置１０から画像データの受信が可能な状態を示す。制御部１００は、セッションを生成し、画像送受信サービスの利用者によって、画像データに関する情報が正しいことが確認されるまでは、セッションが確立した端末装置３０に対して、装置状態として「Ｒｅａｄｙ」を送信する。
【００６９】
（３）Ｃｈａｒｇｉｎｇ
画像送受信サービスにおいて、決済を行う状態であることを示す。制御部１００は、画像データに関する情報が正しいことが確認され、決済の処理が完了するまでは、装置状態として「Ｃｈａｒｇｉｎｇ」を送信する。
【００７０】
（４）Ｓｅｎｄｉｎｇ
画像送受信サービスにおいて、画像データの送受信を行う状態であることを示す。制御部１００は、セッションが確立された端末装置３０に対して、画像データの送信が完了するまでは、装置状態として「Ｓｅｎｄｉｎｇ」を送信する。
【００７１】
（５）Ｆｉｎｉｓｈｅｄ
画像送受信サービスにおいて、画像送受信サービスを終了する状態であることを示す。具体的には、処理装置１０から端末装置３０への画像データの送信が完了し、また、処理装置１０において、決済の処理が完了した状態を示す。この状態においては、処理装置１０と端末装置３０とにおける通信（接続）を切断してもよい。制御部１００は、ユーザによって、画像送受信サービスの終了が確認されるまでは、装置状態として「Ｆｉｎｉｓｈｅｄ」を送信する。
【００７２】
なお、画像送受信サービスにおいて原稿を読み取る状態である場合は、制御部１００は、端末装置３０に対して、装置状態として「Ｗａｉｔｉｎｇ」を送信してもよいし、原稿を読み取る状態を示す装置状態（例えば、「Ｓｃａｎｎｉｎｇ」）を送信してもよい。
【００７３】
制御部３００は、セッションＩＤを生成したあとは、処理装置１０に対して、定期的に（例えば、１秒毎に）端末名とセッションＩＤとを送信をして、処理装置１０から装置状態を取得するポーリングを行う。このようにすることで、端末装置３０は、装置状態により、セッションが確立したか否かを判定することができる。また、処理装置１０は、接続対象となる端末装置３０の数や、端末名や、セッションＩＤの情報を取得できる。
【００７４】
ここで、Ｓ１１４においては、処理装置１０はいずれの端末装置３０ともセッションを確立していない。したがって、処理装置１０は、端末装置３０ａに対して装置状態として「Ｗａｉｔｉｎｇ」を送信する。
【００７５】
また、端末装置３０ａとは異なる端末装置３０である端末装置３０ｂで画像データ受信アプリ３５４が起動された場合も（Ｓ１１６）、端末装置３０ａと同様の処理を行う。すなわち、端末装置３０ｂの制御部３００は、セッションＩＤを生成し（Ｓ１１８）、表示部３２０に端末装置３０ｂの端末名を表示する（Ｓ１２０）。また、端末装置３０ｂの制御部３００は、処理装置１０に対して端末名とセッションＩＤとを含む信号を送信する（Ｓ１２２）。処理装置１０は、端末装置３０ｂから端末名及びセッションＩＤを含む信号を受信したら、端末装置３０ｂに対して、装置状態として、「Ｗａｉｔｉｎｇ」を送信する（Ｓ１２４）。
【００７６】
つづいて、制御部１００は、端末名表示処理を実行する（Ｓ１２６）。端末名表示処理については、図６を参照して説明する。端末名表示処理とは、処理装置１０が、セッションを確立する対象となる端末装置３０の情報である端末名を、表示部１１０に表示する処理である。
【００７７】
はじめに、制御部１００は、端末装置３０から端末名及びセッションＩＤを含む信号を受信したか否かを判定する（ステップＳ１８２）。端末装置３０から端末名及びセッションＩＤを含む信号を受信した場合は、制御部１００は、受信した端末名と、セッションＩＤとに基づき、受信信号強度リスト１５４を生成する（ステップＳ１８４）。具体的には、制御部１００は、所定の時間（例えば、５秒間）、端末装置３０から受信信号の強度の値を含む信号の受信することで、端末装置３０の受信信号の強度の値を取得する処理を行う。そして、制御部１００は、所定の時間内に取得した端末装置３０の受信信号の強度の値に基づき、受信信号強度リスト１５４を生成する。なお、処理装置１０が端末装置３０の受信信号の強度の値を測定・取得する場合は、例えば、処理装置１０が所定の時間に端末装置３０から受信した信号の強度等に基づき、端末装置３０の受信信号の強度の値を測定・取得すればよい。
【００７８】
受信信号の強度の値を取得するための時間を設けることで、複数の端末装置３０が存在する場合や、Ｓ１８２とは異なるタイミングで処理装置１０が受信信号の強度の値を取得した場合に、制御部１００は、端末装置３０の受信信号の強度の値を適切に取得できる。また、同じ端末装置３０から２回以上受信信号の強度の値を取得した場合は、制御部１００は、最後に取得した受信信号の強度の値を当該端末装置３０の受信信号の強度の値としてもよいし、平均の値を当該端末装置３０の受信信号の強度の値としてもよい。
【００７９】
つづいて、制御部１００は、ステップＳ１８６において、受信信号強度リスト１５４に端末装置３０の１台分のみの情報しか記憶されていない場合は、受信信号強度リスト１５４に記憶されている端末装置３０の端末名を表示部１１０に表示する（ステップＳ１８６；Ｙｅｓ→ステップＳ１８８）。
【００８０】
ここで、１台分のみの情報が記憶されている状態とは、受信信号強度リスト１５４に、処理装置１０が通信可能な端末装置３０の情報が１台分記憶されている状態をいう。したがって、通信可能な端末装置３０の情報が１台だけ記憶されていればよく、例えば、複数台の端末装置３０の情報が受信信号強度リスト１５４に記憶されており、受信信号強度が閾値以上の端末が１台といった場合も含むものとする。
【００８１】
一方で、受信信号強度リスト１５４に複数台の端末装置３０の情報が記憶されている場合は、制御部１００は、処理装置１０に最も近い端末装置３０の端末名を抽出する（ステップＳ１８６；Ｎｏ→ステップＳ１９０）。
【００８２】
ここで、処理装置１０に最も近い端末装置３０は、他の端末装置３０に比べて、端末名及びセッションＩＤを含む信号の受信信号が最も強いと考えられる。そこで、制御部１００は、受信信号強度リスト１５４に記憶された受信信号の強度の値を比較したり、受信信号強度リスト１５４を受信信号強度の順に並び替えたりして、最も受信信号の強度が強い端末装置３０の端末名を抽出する。そして、制御部１００は、抽出した端末装置３０の端末名を表示部１１０に表示する（ステップＳ１９２）。このようにして、複数台の端末装置３０の端末名及びセッションＩＤを含む信号を受信した場合であっても、１台分の端末装置３０の端末名を表示部１１０に表示することができる。
【００８３】
図４に戻り、つづいて、制御部１００は、操作入力部１２０を介して、利用者から端末名の確認操作がされた場合は（Ｓ１２８）、表示部１１０に表示されている端末名に対応する端末装置３０とセッションを確立する（Ｓ１３０）。端末名の確認操作とは、例えば、制御部１００が端末名とともに「ＯＫ」ボタンを表示し、当該「ＯＫ」ボタンが利用者によって選択された場合である。
【００８４】
つづいて、制御部１００は、セッションを確立した端末装置３０から端末名及びセッションＩＤを含む信号を受信した場合は、当該端末装置３０に対して、装置状態として「Ｒｅａｄｙ」を送信する（Ｓ１３２→Ｓ１３４）。なお、本実施形態では、セッションを確立しない端末装置３０に対しては、画像送受信サービスが利用できないことを示すために、装置状態として「Ｗａｉｔｉｎｇ」を送信する（Ｓ１３６→Ｓ１３８）。
【００８５】
図４では、Ｓ１３０において、処理装置１０は、端末装置３０ｂとセッションを確立したとする。この場合、処理装置１０は、端末装置３０ｂに対して、装置状態として「Ｒｅａｄｙ」を送信する（Ｓ１３４）。一方で、処理装置１０は、セッションを確立しなかった端末装置３０ａに対しては、装置状態として「Ｗａｉｔｉｎｇ」を送信する（Ｓ１３８）。このようにすることで、処理装置１０は、端末装置３０ｂを、画像データを送信する対象となる端末装置とすることができる。また、端末装置３０ｂは、処理装置１０とセッションが確立したことを判定することができる。
【００８６】
つづいて、図５を参照して、処理装置１０が、端末装置３０に対して画像データを送信する処理について説明する。なお、以下の説明においては、図４と同様に、処理装置１０とセッションを確立した端末装置３０は端末装置３０ｂとして説明する。また、以下の説明においては、端末装置３０の機能部は、端末装置３０ｂの機能部であるとして説明する（例えば、制御部３００は、端末装置３０ｂの制御部３００を示す）。
【００８７】
はじめに、制御部３００は、処理装置１０に対してセッションＩＤを送信する（Ｓ１４２）。制御部１００は、端末装置３０から受信したセッションＩＤが、セッションを確立した端末装置３０のセッションＩＤ、すなわち、端末装置３０ｂのセッションＩＤと比較する。比較の結果、端末装置３０から受信したセッションＩＤと、端末装置３０ｂのセッションＩＤとが一致したら、制御部１００は、画像データ記憶領域１５２に記憶された画像データを、セッションが確立している端末装置３０ｂに送信する（Ｓ１４４）。このようにすることで、利用者によって送信内容や料金が確認されている間に、処理装置１０は、端末装置３０ｂに対して、バックグラウンドで画像データを送信することができる。
【００８８】
つづいて、制御部１００は、表示部１１０に、端末装置３０ｂに対して送信した画像データに関する情報を表示する画面である送信内容確認画面を表示する（Ｓ１４６）。利用者は、送信内容確認画面に基づき、処理装置１０から送信される画像データに関する情報を確認することができる。また、送信内容確認画面には、制御部１００がＳ１４４において送信する画像データのファイル名や、ファイルサイズ、ファイルの保存先となる画像データ記憶領域３５２のファイルパス（フォルダ名）等を含む。
【００８９】
つづいて、制御部１００は、表示部１１０に、画像送受信サービスの利用料金に関する情報を表示する画面である料金確認画面を表示する（Ｓ１４８）。利用者は、料金確認画面に基づき、画像送受信サービスを利用したことに対する料金を支払う。制御部１００は、利用者による料金の支払いがされている場合に、端末装置３０ｂから端末名及びセッションＩＤを含む信号を受信したときは、端末装置３０ｂに対して、装置状態として「Ｃｈａｒｇｉｎｇ」を送信する（Ｓ１５０→Ｓ１５２）。また、制御部１００は、利用者による料金の支払いの操作に基づき、画像送受信サービスに対する課金の決済処理を行う（Ｓ１５４）。
【００９０】
決済処理が完了したら、制御部１００は、端末装置３０ｂに対して画像データを送信する処理が行われていることを利用者に知らせる画面である送信確認画面を表示する（Ｓ１５６）。処理装置１０によって送信確認画面が表示されることにより、画像送受信サービスの利用者は、料金の支払いまで完了しており、画像データの受信が完了するまで待機すればよいことを知ることができる。
【００９１】
つづいて、制御部１００は、端末装置３０ｂから端末名及びセッションＩＤを含む信号を受信したときは、端末装置３０ｂに対して、装置状態として「Ｓｅｎｄｉｎｇ」を送信する（Ｓ１５８→Ｓ１６０）。制御部３００は、処理装置１０から、装置状態として「Ｓｅｎｄｉｎｇ」を受信することで、料金の支払いまで完了し、画像データを送信する段階に至っていることを判定することができる。
【００９２】
そして、制御部１００は、端末装置３０ｂに対する画像データの送信が完了するまで、画像データを送信していることを示す画像データ送信中画面を表示部１１０に表示する（Ｓ１６２）。また、制御部３００は、処理装置１０からの画像データの受信が完了するまで、画像データを受信していることを示す画像データ受信中画面を表示部３２０に表示する（Ｓ１６４）。
【００９３】
制御部１００は、端末装置３０ｂに対する画像データの送信が完了した場合に、セッションを確立した端末装置３０ｂから端末名及びセッションＩＤを含む信号を受信したときは、端末装置３０ｂに対して、装置状態として「Ｆｉｎｉｓｈｅｄ」を送信する（Ｓ１６６→Ｓ１６８）。制御部３００は、処理装置１０から、装置状態として「Ｆｉｎｉｓｈｅｄ」を受信した場合は、表示部３２０に画像データの受信が完了したことを示す受信完了画面を表示する（Ｓ１７０）。また、制御部３００は、処理装置１０に対して、受信が完了したことを示す情報である受信完了情報を送信する（Ｓ１７２）。
【００９４】
制御部１００は、端末装置３０ｂから受信完了情報を受信したら、画像送受信サービスが終了したことを示す画面を表示部１１０に表示し、利用者にサービスの終了の確認を行う（Ｓ１７４）。利用者によってサービスの終了が確認された場合は、制御部１００は、端末装置３０ｂとのセッションを切断する（Ｓ１７６）。なお、Ｓ１７６においては、制御部１００は、端末装置３０ｂとの接続を切断してもよい。また、利用者によってサービスの終了が確認された場合とは、例えば、画像送受信サービスが終了したことを示す画面に「ＯＫ」ボタンを含め、当該「ＯＫ」ボタンが利用者によって選択された場合である。
【００９５】
［１．４  動作例］
図７から図１１を参照して、動作例を説明する。図７から図９は、処理装置１０の表示部１１０と、端末装置３０の表示部３２０とに表示される表示画面を、時系列順に並べて示した図である。図の上段が処理装置１０の表示部１１０に表示される表示画面であり、図の下段が端末装置３０の表示部３２０に表示される表示画面である。また、上段と下段とにおいて、同じ横位置に示した表示画面は、同じタイミングでそれぞれの表示部に表示する表示画面であることを示す。
【００９６】
図７の表示画面Ｗ１００は、処理装置１０の表示部１１０に表示される画面であり、画像形成装置２０によって読み取られた原稿の画像データをプレビュー表示する画面である。利用者によって、表示画面Ｗ１００に含まれる「次へ」ボタンＢ１００が選択された場合は、処理装置１０は、表示部１１０に、画像データ受信アプリ３５４の起動案内画面Ｗ１０２を表示する。
【００９７】
利用者の操作によって、端末装置３０において画像データ受信アプリ３５４が起動されると、端末装置３０は、表示部３２０に、画像データ受信アプリ３５４の表示画面Ｗ１０４を表示する。ここで、利用者によって「スキャンする」ボタンＢ１０４が選択されると、端末装置３０は、セッションＩＤを生成し、処理装置１０に端末名とセッションＩＤとを送信する。
【００９８】
端末装置３０はセッションＩＤを生成したら、処理装置１０の表示部１１０の確認を促すための表示画面Ｗ１１０を表示部３２０に表示する（図８）。また、処理装置１０は、端末名表示処理の実行後、表示部１１０に、セッションを確立する対象となる端末装置３０の情報である端末名を表示した表示画面Ｗ１１２を表示する。処理装置１０は、セッションを確立する対象となる端末装置３０を決定したら、表示部１１０に表示する画面を、起動案内画面Ｗ１０２から表示画面Ｗ１１２に、自動的に切り替えて表示させてもよい。このようにすることで、画像送受信サービスの利用者に対して、ＰＩＮコードやパスワードといった情報を処理装置１０に対して入力させる必要がなくなり、操作性を向上させることができる。
【００９９】
一方で、端末装置３０は、表示部３２０に、利用者が操作する端末装置３０の情報である端末名を表示した表示画面Ｗ１１４を表示する。なお、端末装置３０は、表示画面Ｗ１１０が画像送受信サービスの利用者によってタップなどの操作がされたときに、表示画面Ｗ１１４を表示してもよい。また、表示画面Ｗ１１４には、処理装置１０の表示部１１０に、端末装置３０の情報が表示されていることを確認する旨のメッセージが含まれていてもよい。また、表示画面Ｗ１１２及び表示画面Ｗ１１４に示すように、端末装置３０の情報である端末名は、他の情報を表示している文字よりも大きく表示してもよい。このようにして、処理装置１０の表示部１１０と、端末装置３０の表示部３２０とには、端末装置３０の情報である端末名が表示される。利用者は、表示部１１０と表示部３２０とを見ることで、セッションを確立する（処理装置１０に接続する）対象の端末装置３０が、自身が操作する端末装置３０であることを確認することができる。なお、表示画面Ｗ１１２及び表示画面Ｗ１１４は、端末装置３０の情報を表示されればよく、端末名以外の端末識別子や、端末識別子以外の端末装置３０の情報が表示されてもよい。
【０１００】
利用者は、表示画面Ｗ１１２に表示された端末名と、表示画面Ｗ１１４に表示された端末名とが一致したことを確認したら、「ＯＫ」ボタンＢ１１２ａを選択する。利用者によってボタンＢ１１２ａが選択されることにより、処理装置１０は、表示部１１０に表示されている端末名に対応する端末装置３０とのセッションを確立する。なお、利用者は、表示画面Ｗ１１２に表示された端末名と、表示画面Ｗ１１４に表示された端末名とが一致しないことを確認したら、「他の端末を探す」ボタンＢ１１２ｂを選択する。利用者によりボタンＢ１１２ｂが選択されることにより、処理装置１０は、端末名表示処理を再度実行し、処理装置１０に最も近い端末装置３０の端末名を表示し直す。
【０１０１】
つづいて、処理装置１０は、表示部１１０に送信内容確認画面Ｗ１１６を表示する。利用者は、送信内容が正しいことを確認したら、「次へ」ボタンＢ１１６を選択する。利用者によってボタンＢ１１６が選択されることにより、処理装置１０は、画像送受信サービスに対する支払いを促す画面を表示する。
【０１０２】
処理装置１０は、決済処理を行うために、表示部１１０に料金確認画面Ｗ１２０を表示する（図９）。料金確認画面Ｗ１２０は、サービスに対する料金の表示以外にも、例えば、支払い方法や領収書の発行の有無等が選択するためのボタンを含めてもよい。利用者によって料金の支払いが完了したら、処理装置１０は、表示部１１０に画像データ送信中画面Ｗ１２２を表示する。また、端末装置３０は、表示部３２０に画像データ受信中画面Ｗ１２４を表示する。
【０１０３】
処理装置１０は、端末装置３０に対する画像データの送信が完了したら、表示部１１０に、終了確認画面Ｗ１２６を表示する。また、端末装置３０は、表示部３２０に、画像データの受信が完了したことを示す画面Ｗ１２８を表示する。このようにすることで、利用者は、画像形成装置２０によってスキャンをした原稿の画像データが、画像データ記憶領域３５２に記憶されたことを確認できる。
【０１０４】
なお、本実施形態では端末名表示処理において、制御部１００が、複数台の端末名及びセッションＩＤを含む信号を受信した場合は、受信信号の強度が最も強い端末装置３０の端末名を表示することとしたが、それ以外の表示をしてもよい。例えば、複数台の端末名及びセッションＩＤを含む信号を受信した場合は、図１０（ａ）に示すように、当該複数台の端末装置３０の端末名をリストとして表示してもよい。このとき、受信信号の強度に基づく表示をしたり、受信信号の強度を基準として、降順に端末名を並び替えて表示したりしてもよい。このようにすることで、利用者にとって、利用者が操作する端末装置３０の端末名と同じ端末名の項目をリストから選択することが容易になる。なお、受信信号の強度に基づく表示としては、受信信号の強度を示す画像（例えば、アンテナのアイコン）を表示したり、項目の背景色を変えたり（例えば、受信信号の強度が強いほど背景色を濃く表示する）、文字サイズや文字色を変えたりしてもよい。
【０１０５】
また、制御部１００が、複数台の端末名及びセッションＩＤを含む信号を受信する場合とは、複数の端末装置３０によって、画像データ受信アプリ３５４が起動されている場合である。この場合は、それぞれの端末装置３０の表示部３２０には、端末装置３０の端末名が表示される。処理装置１０の操作をしている利用者は、表示部３２０に表示された端末名と同じ端末名の項目を、表示画面Ｗ１３０から選択する。処理装置１０は、選択された端末名に対応する端末装置３０とのセッションを確立する。
【０１０６】
例えば、複数の端末装置３０のそれぞれの表示部３２０に、図１０（ｂ）の表示画面Ｗ１３２や図１０（ｃ）の表示画面Ｗ１３４が表示されるとする。また、処理装置１０に最も近い端末装置３０を操作する利用者の表示部３２０に表示画面Ｗ１３２が表示されるとする。このとき、表示部３２０に表示画面Ｗ１３２が表示されている端末装置３０の利用者は、表示部１１０に表示されたリストから、図１０（ａ）に示した表示画面Ｗ１３０に表示されるリストから、項目Ｂ１３０を選択する。このようにすることで、処理装置１０と、処理装置１０に最も近い端末装置３０との間で、セッションを確立することができる。
【０１０７】
また、図１１（ａ）は、図８の表示画面Ｗ１１２の代わりに表示する表示画面Ｗ１４０の例である。図８の表示画面Ｗ１１２は、端末装置３０を示す情報である端末名を表示したが、図１１（ａ）に示すように、表示画面Ｗ１４０には、端末装置３０の表示部３２０に表示される画面と同じ画面を表示した領域Ｅ１４０を含む。処理装置１０は、表示部１１０に、表示画面Ｗ１１２の代わりに表示画面Ｗ１４０を表示することで、利用者に、より視覚的に分かりやすく、画像データを送信する端末装置３０が適切であるか否かを判断させることができる。
【０１０８】
処理装置１０の表示画面Ｗ１４０の領域Ｅ１４０に表示された画面と、端末装置３０の表示部３２０に表示された表示画面Ｗ１４２とが同じであることを示すボタンＢ１４０が選択されたら、処理装置１０は、画像データを送信する処理を開始すればよい。また、処理装置１０の表示画面Ｗ１４０の領域Ｅ１４０に表示された画面と、端末装置３０の表示部３２０に表示された表示画面Ｗ１４２とが異なることを示すボタンＢ１４２が選択されたら、処理装置１０は、再度端末名表示処理を実行すればよい。
【０１０９】
また、処理装置１０と、端末装置３０とで同じ画面を表示する場合は、アイコンを表示したり、画面内の文字を強調したり、背景色を使うなどした表示態様をしてもよい。このようにすることで、利用者に対して、文字などによらず、視覚的に同じ画面が表示されていることを分かりやすく示すことができる。例えば、図１１（ｃ）は、処理装置１０の表示部１１０に表示される表示画面Ｗ１４４の例であり、図１１（ｄ）は、端末装置３０の表示部３２０に表示される表示画面Ｗ１４６の例である。表示画面Ｗ１４４の領域Ｅ１４４には、表示画面Ｗ１４６と同じ画面を表示する。このとき、領域Ｅ１４４に表示する画面と、表示画面Ｗ１４６とでは、端末名を下線で強調したり、表示画面の右下に絵を表示するなどして強調したりする。利用者は、画面の表示態様に基づいて、画像データが送信される端末装置３０が、適切な端末装置３０であるか否かを判断することが可能となる。
【０１１０】
なお、上述した処理は、矛盾のない範囲において変更しても構わないことは勿論である。例えば、端末名表示処理装置において、受信信号強度リストを生成しない方法により、最も近い端末装置の端末名を抽出してもよい。具体例としては、制御部１００は、最大受信信号強度の値を一時的に記憶し、端末装置３０から端末名と受信信号の強度の値と最大受信信号強度の値とを比較することで、最も近い端末装置の端末名を抽出する。はじめに、制御部１００は、最大受信信号強度として−１００ｄＢｗといった小さい値を記憶部１５０に記憶する。そして、所定の時間内（例えば、５秒間）に、端末装置３０から端末名と受信信号の強度の値を含む信号を受信したら、受信した受信信号の強度の値と、最大受信信号強度の値とを比較する。端末装置３０から受信した受信信号の強度の値が、最大受信信号強度の値よりも大きければ、最大受信信号強度の値を端末装置３０から受信した受信信号の強度の値と、端末名とを記憶部１５０に記憶（更新）する。そして、所定の時間経過後に、記憶部１５０に記憶されている端末名を、処理装置１０に最も近い端末名として抽出する。このようにすることで、所定時間内に端末装置３０から受信した信号に基づき、処理装置１０に最も近い端末装置３０の端末名を抽出することができる。
【０１１１】
Ｓ１３４において、制御部１００は、装置状態「Ｒｅａｄｙ」とともに、画像データ記憶領域１５２に記憶された画像データを取得するためのＵＲＬ（Uniform Resource Locator）を送信してもよい。このとき、ＵＲＬにセッションＩＤを含めてもよい。このようにすることで、Ｓ１４２において、制御部３００は、処理装置１０に対して、セッションＩＤを含むＵＲＬに示されるリソースの取得を要求することができる。制御部１００は、ＵＲＬからセッションＩＤを取得できるので、セッションを確立していない端末装置３０からの画像データの取得を排除することができる。
【０１１２】
Ｓ１４４において、制御部１００は画像データをそのまま送信するのではなく、複数の画像データを１つのデータにまとめたり、圧縮したりした上で送信してもよい。このようにすることで、画像データの送信効率を上げることができる。
【０１１３】
また、上述した説明では、セッションを確立するための端末装置３０の情報として、端末装置３０の端末名を利用したが、端末名以外の情報を用いてもよい。例えば、端末装置３０を示す情報として、端末装置３０の利用者のアカウント名、端末名以外の端末識別子（端末装置３０のＩＤやシリアル番号）、氏名、電話番号、電子メールアドレスといった情報を用いてもよい。端末装置３０は、処理装置１０に対して、セッションＩＤと共に端末装置３０を示す情報を送信する。また、制御部１００は、セッションＩＤと、端末装置３０を示す情報とを対応付けて、受信信号強度リスト１５４を生成する。そして、ステップＳ１８６及びステップＳ１９２においては、端末装置３０を示す情報として用いた情報（例えば、アカウント名）を表示部１１０に表示する。端末装置３０の利用者は、端末名に比べ、アカウント名、氏名、電話番号、電子メールアドレスの情報をよく用いている場合も考えらえられる。このような場合は、利用者に対して、より分かりやすく、コネクションを確立する対象となる端末装置３０が適切であるかを判断させることが可能となる。また、端末装置３０のＩＤやシリアル番号は、利用者のプライバシーに関わる情報ではないため、端末名やアカウント名が表示される場合に比べて、利用者に与える抵抗感を抑えることができる。セッションを確立するために用いる情報は、画像送受信サービスを利用する利用者の属性や、処理装置１０の設置場所等に基づいて、システム１の管理者等が決定してもよい。
【０１１４】
また、上述した実施形態の画像処理装置２５は、処理装置１０と、画像形成装置２０とが異なる装置として構成される例について説明した。画像処理装置２５は、処理装置１０と、画像形成装置２０とが一体となって構成されてもよい。
【０１１５】
本実施形態によれば、画像処理装置に最も近い端末装置の端末名を表示することができる。したがって、画像処理装置の利用者は、画像処理装置に表示された端末名を確認するだけで、画像処理装置と端末装置とのセッションを確立でき、画像処理装置から画像データを受信することが可能となる。また、操作を簡略化できるためユーザビリティの向上が実現できる。一方で利用者は、画像データを送信する端末装置を端末名によって特定できるため、利用者が所持する端末装置に画像データが送信されることの確証を得ることができる。利用者の操作によって、画像処理装置に表示される端末名を表示し直すことが可能であるため、画像処理装置が表示されない場合における対応も手軽にできる。
【０１１６】
また、画像処理装置は、端末装置からの受信信号の強度に基づき、セッションを確立する対象とする端末装置を抽出する。したがって、画像処理装置に複数人の利用者が並んでいたとしても、画像処理装置を操作する利用者以外の利用者の端末装置とのセッションを確立する可能性を低くすることができる。したがって、操作の簡略化を実現しつつ、セキュリティの確保が可能となる。
【０１１７】
また、本実施形態によれば、端末装置と画像処理装置とを接続するときに、利用者に対して、ＰＩＮコードを入力させる手間を削減させることが可能となる。これにより、ＰＩＮコードを使用する場合に比べて、より簡単な方法で、送信先の端末装置を特定することが可能となる。
【０１１８】
［２．第２実施形態］
つづいて第２実施形態について説明する。第２実施形態は、端末名表示処理において、端末装置３０の情報として同一の情報を有する端末装置３０が複数台接続されている場合は、画像データの送信を中断する実施形態である。本実施形態は、第１実施形態の図６を図１２に置き換えたものである。なお、同一の機能部及び処理には同一の符号を付し、説明については省略する。
【０１１９】
図１２を参照して、本実施形態の端末名表示処理を説明する。処理の説明においては、端末装置３０の情報として端末名を用いることとして説明するが、端末装置３０の情報として利用者のアカウント名や端末名以外の端末識別子を用いてもよい。
【０１２０】
ステップＳ１８６において、受信信号強度リスト１５４に、複数台の端末装置３０の情報が記憶されている場合は、つづいて、制御部１００は、受信信号強度リスト１５４に、同一の端末名の情報が複数存在するか否かを判定する（ステップＳ１８６；Ｎｏ→ステップＳ２８２）。同一の端末名の情報が複数存在する場合は、制御部１００は、処理装置１０に接続されている全ての端末装置３０に対してエラー情報を送信する（ステップＳ２８２；Ｙｅｓ→ステップＳ２８４）。なお、エラー情報を受信した端末装置３０は、エラーが発生したことを示す画面を、表示部３２０に表示する。
【０１２１】
また、制御部１００は、エラー情報を送信した端末装置３０との接続を切断する（ステップＳ２８６）。そして、制御部１００は、表示部１１０に、同一の端末名の情報が複数存在したことにより、操作が続行できないことを示すエラー画面を表示する（ステップＳ２８８）。
【０１２２】
利用者によって、所定の操作がされることによりエラー画面が確認されたら、制御部１００は、画像送受信サービスを中断し、表示部１１０に初期画面を表示する（ステップＳ２９０）。初期画面とは、処理装置１０が提供するサービスを選択するための画面である。初期画面を表示したら、制御部１００は、それまでに利用者によって行われた操作の情報や、画像形成装置２０から取得した画像データを削除する。また、図４のステップＳ１２８以降の処理は実行しない。
【０１２３】
図１３を参照して、本実施形態の動作例を説明する。端末装置３０は、表示部３２０に端末名を表示した表示画面Ｗ２００を表示したら、処理装置１０に対して、端末名とセッションＩＤとを含んだ信号を送信する。処理装置１０は、複数の端末装置３０から受信した端末名の中に、同一の端末名が複数含まれている場合は、端末装置３０に対してエラー情報を送信し、表示部１１０にエラー画面Ｗ２０２を表示する。このとき、エラー画面Ｗ２０２には、複数存在する端末名を表示してもよい。また、端末装置３０は、処理装置１０からエラー情報を受信したときは、エラーが発生したことを示すエラー画面Ｗ２０４を、表示部３２０に表示する。
【０１２４】
処理装置１０は、エラー画面Ｗ２０２に含まれる「ＯＫ」ボタンＢ２０２が、利用者によって選択された場合は、表示部１１０に、初期画面Ｗ２０６を表示する。また、端末装置３０は、エラー画面Ｗ２０４に含まれる「ＯＫ」ボタンＢ２０４が、利用者によって選択されたら、表示部３２０に画像データ受信アプリ３５４の初期画面Ｗ２０８を表示する。
【０１２５】
本実施形態によれば、同一の端末名の情報を複数受信した場合は、利用者の操作を破棄することができる。したがって、画像処理装置は、画像処理装置を操作する利用者とは異なる利用者に画像データを誤って送信したり、画像処理装置を操作する利用者以外の利用者に画像データが横取りされたりすることを防ぐことが可能となる。
【０１２６】
［３．第３実施形態］
つづいて第３実施形態について説明する。第３実施形態は、端末名表示処理において、端末装置３０の情報とともに、セッション固有の情報を表示する実施形態である。例えば、セッションＩＤの一部（具体的には、セッションＩＤの先頭４文字）を識別番号として表示する。このようにすることで、利用者は、端末名と、識別番号とにより、セッションを確立する端末装置３０を確認することができる。
【０１２７】
図１４は、本実施形態の動作例を示した図である。制御部１００は、端末名表示処理のステップＳ１８８及びステップＳ１９２において、図１４（ａ）の表示画面Ｗ３００に示すように、表示部１１０に端末名とセッション固有の情報とを表示する。また、制御部３００は、Ｓ１１０又はＳ１２０において、図１４（ｂ）の表示画面Ｗ３０２に示すように、端末名とともに、セッション固有の情報を表示する。
【０１２８】
なお、セッション固有の情報は、上述したようなセッションＩＤに基づく情報でもよいし、端末装置３０が処理装置１０に接続をする際に生成するデータであってもよい。表示部１１０及び表示部３２０に表示する情報は、端末名と、識別番号以外の情報を併せて表示してもよい。
【０１２９】
また、同一の情報を有する端末装置３０が複数台接続されている場合であっても、セッション固有の情報を表示することにより、セッションを確立する対象となる端末装置３０が正しいか否かを、利用者に判定させることができる。したがって、第２実施形態とは異なり、同一の情報を有する端末装置３０が複数台接続されている場合であっても、利用者の操作を破棄しない運用を行うことができる。
【０１３０】
本実施形態によれば、画像処理装置の利用者に、画像データの送信先となる端末装置を、より正確に、利用者によって確認させることが可能となる。
【０１３１】
［４．第４実施形態］
つづいて、第４実施形態について説明する。第４実施形態は、端末装置３０に画像データを正しく記憶できない場合について説明する。なお、本実施形態は、上述した第１実施形態から第３実施形態と動作は共通であり、異なる部分についてのみ説明する。
【０１３２】
端末装置３０が適切に画像データを受信・記憶できない場合、端末装置３０は中断処理を実行する。端末装置３０は、中断処理を実行すると、端末装置３０の表示部１１０に「画像データ受信失敗」「画像データ記憶失敗」等の表示を行う。
【０１３３】
また、端末装置３０は、画像処理装置２５（処理装置１０）に画像データを適切に処理できない旨（処理中止）の通知を行う。画像処理装置２５は、端末装置３０から処理中止の通知を受信した場合、各処理を中止する。
【０１３４】
例えば、画像処理装置２５は、画像データ記憶領域１５２から画像データを消去する。また、受信信号強度リスト１５４に記憶されている端末装置３０の情報を消去する。また、課金処理が実行されている場合は、キャンセルする処理を行う。
【０１３５】
ここで、端末装置３０が適切に画像データを受信・記憶出来ない場合は、以下の場合が考えられる。
・端末装置３０の記憶部３５０（画像データ記憶領域３５２）に記憶可能な空き容量（残容量）が少ないために、受信された画像データを記憶できない場合
・端末装置３０のバッテリー残量が少ないために、処理を完了することができない場合
・端末装置３０の受信強度が閾値以下となったため、適切に通信が行えなくなった場合
・その他、ユーザやシステムから、処理を中止する割込があった場合
【０１３６】
［５．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【０１３７】
また、上述した実施形態は、説明の都合上、それぞれ別に説明している部分があるが、技術的に可能な範囲で組み合わせて実行してもよいことは勿論である。
【０１３８】
なお、上述した実施形態は、画像処理装置２５のうち、処理装置１０が処理を実行し、処理装置１０の表示部１１０に表示する場合を説明した。例えば、画像形成装置２０が処理装置１０の機能を含んで構成され、画像形成装置２０が各処理を実行してもよい。また、処理装置１０は、画像形成装置２０の表示部（不図示）に表示を行ってもよい。
【０１３９】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭ（Read Only Memory）やＨＤＤ等の記憶装置に格納され、必要に応じてＣＰＵによって読み出し、修正・書き込みが行なわれる。
【０１４０】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ（Blu-ray Disc）（登録商標）等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１４１】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１４２】
１  システム
１０  処理装置
１００  制御部
１１０  表示部
１２０  操作入力部
１３０  アクセスポイント部
１４０  通信部
１５０  記憶部
１５２  画像データ記憶領域
１５４  受信信号強度リスト
２０  画像形成装置
２００  制御部
２１０  通信部
２２０  原稿読取部
２３０  画像処理部
２４０  画像形成部
２５０  記憶部
２５  画像処理装置
３０  端末装置
３００  制御部
３１０  無線通信部
３２０  表示部
３３０  操作入力部
３４０  受信信号強度測定部
３５０  記憶部
３５２  画像データ記憶領域
３５４  画像データ受信アプリ
３５６  端末装置情報
【図１】
2020108026.tif 000003
【図２】
2020108026.tif 000004
【図３】
2020108026.tif 000005
【図４】
2020108026.tif 000006
【図５】
2020108026.tif 000007
【図６】
2020108026.tif 000008
【図７】
2020108026.tif 000009
【図８】
2020108026.tif 000010
【図９】
2020108026.tif 000011
【図１０】
2020108026.tif 000012
【図１１】
2020108026.tif 000013
【図１２】
2020108026.tif 000014
【図１３】
2020108026.tif 000015
【図１４】
2020108026.tif 000016